(57)【要約】【課題】  一般に用いられている風呂敷をそのまま用い、手提げバッグとして使用  可能な簡易包装体を形成するための取っ手に関する。  【解決手段】風呂敷を用いた簡易包装体の取っ手であって、円形を含む多角形の把持部Ａ１１と、同把持部の両端に各々一辺を回動可能に軸支された２個の四辺形のリングＡ１２と、リングＡ１２の中間部にスライド可能に接続された弛張棒１３とを持つ構造としている。四辺形の風呂敷の対向する二辺を重ね合わせ二つ折りにし、対向する隅部を二枚重ねのまま、リングＡ１２に固定する。同固定は、前記風呂敷の隅部をリングＡ１２と弛張棒１３との取っ手側隙間より差込み貫通後、弛張棒１３を介して折り返し、弛張棒１３とリングＡ１２の下側隙間より抜き弛張棒１３を引き下げることにより、リングＡ１２と弛張棒１３で挟みこみ固定する。これにより手提げバッグとして使用可能な簡易包装体を提供する。【選択図】  図１
2008110196.tif 000002
【特許請求の範囲】
【請求項１】
風呂敷等四辺形のシートを用いた簡易包装体の取っ手であって、円形を含む多角形の把持部と、該把持部の両端に各々一辺を回動可能に軸支された2個の四辺形のリングと、該リングの軸支された辺と平行で、かつ、該リング中間部にスライド可能に接続された弛張棒とを有することを特徴とする取っ手。
【請求項２】
該把持部の両端に各々２個ずつのＤ型リングを有し、該Ｄ型リングは、その直線状の辺が該把持部の端に２個互いに隣接して一括で軸支されていることを特徴とする請求項１の取っ手。
【発明の詳細な説明】
【技術分野】
【０００１】
風呂敷等四辺形のシートを用いた簡易包装体に使用する取っ手に関するものである。
【背景技術】
【０００２】
従来におけるこの種の取っ手は、風呂敷の対向する二辺の縁に袋状のポケットを形成し、その中に手紐を引き出し可能に設け、被包装体を風呂敷の上に載せた後手紐を引き出し、風呂敷の縁を絞ると同時に手提げバンドを形成する構造としたもの（例えば、非特許文献1参照）、あるいは風呂敷の四辺の縁部全体を袋状にし、全周に手紐を通し、4隅のコーナー部に開口部を設けた構造とし、従来どおり風呂敷として使用するときは、対角線上に対向する隅部をそれぞれ結び、被梱包体を包み込んで使用し、簡易手提げ袋として使用するときは、該風呂敷に内包された手紐を引き出し、被梱包体を包み込むと同時に、引き出した紐を取っ手あるいはショルダーバンドとして使用する構造としたもの（例えば、特許文献２参照）、また、風呂敷の対角線上に対向する2箇所に取っ手用プレートを縫着し、被梱包体を風呂敷の上に置き、まず、取っ手のついていない対角線上に対向する隅部を括った後、取っ手のついている隅部どうしを合わせ、取っ手用プレートを嵌着する構造としたもの（例えば、特許文献３参照）がある。
【０００３】
いずれのケースに於いても風呂敷にあらかじめ加工を施し、風呂敷本体に手提げやショルダーバッグとしての機能を持たせた構造となっており、一般的に市販されている従来の風呂敷をそのまま活用することが困難であった。
【非特許文献１】実開平５−８６８５８
【特許文献２】特開２００２−１１４２６２
【特許文献３】特開２００５−１３２４１１
【発明の開示】
【発明が解決しようとする課題】
【０００４】
本発明の目的は、上述の従来技術の問題に鑑み、風呂敷や四辺形のシートを加工することなくそのまま用いてハンドバック、ショルダーバックとして使用可能な簡易包装体を形成するための取っ手を提供すること。また、その日の服装に合わせて風呂敷や四辺形のシートのデザインを選び、おしゃれをコーディネートできる機能を有する簡易包装体の取っ手を提供すること、また、現在、環境問題、世界的な重油逼迫の問題から、ポリ袋の削減の政令化、義務化がなされようとしている中、ポリ袋の代替手段としての風呂敷の活用が重要であり、この手段として、風呂敷を便利良くおしゃれに使える道具として提供し、積極的に使いたくなる環境を提供すること、更に、風呂敷や四辺形のシートのサイズや厚みに対し、幅広い適用範囲を有し、且つ多彩なデザインのバッグを形成しうる簡易包装体としての取っ手を提供することである。
【課題を解決するための手段】
【０００５】
前記目的を達成するために請求項1に係る取っ手は、風呂敷等四辺形のシートを用いた手提げバッグ、ショルダーバッグとして使用可能な簡易包装体の取っ手であって、円形を含む多角形の把持部と、該把持部の両端に各々一辺を回動可能に軸支された2個の四辺形のリングと、該リングの軸支された辺と平行で、かつ、該リング中間部にスライド可能に接続された弛張棒とを有する構造としている。風呂敷を手提げバッグ、ショルダーバッグとして使用するときは、四辺形の風呂敷の対向する二辺を重ね合わせるように二つ折りにし、対向する隅部を重ねた状態で、二枚重ねのまま該取っ手のリング部に固定する。該リングへの固定は、二枚重ねにした風呂敷の隅部を該リングと該弛張棒との取っ手側隙間より差込み、該弛張棒を介して折り返し、該弛張棒と該リングの下側隙間より抜き、該弛張棒を引き下げることにより、該リングと該弛張棒で挟みこみ固定する。
【０００６】
又、前記目的を達成するために請求項２に係る取っ手は、風呂敷等四辺形のシートを用いた手提げバッグ、ショルダーバッグとして使用可能な簡易包装体の取っ手であって、円形を含む多角形の把持部と、該把持部の両端に各々２個ずつのＤ型リングを有し、該Ｄ型リングは、該把持部の端にその直線状の一辺を２個互いに隣接して一括で回動可能に軸支された構造としている。風呂敷を手提げバッグ、ショルダーバッグとして使用するときは、四辺形の風呂敷の対向する二辺を重ね合わせるように二つ折りにし、対向する隅部を重ねた状態で二枚重ねのまま該取っ手のＤ型リング部に固定する。該Ｄ型リングへの固定は、二枚重ねにした風呂敷の隅部を２個のＤ型リングを一括で内側から外側に向けて通し、外側のＤ型リングを巻き込む形で折り返し、内側のＤ型リングをくぐらせて、２枚のリングで挟み込み固定する。
【発明の効果】
【０００７】
前記の通り、該取っ手を一個携帯しておけば、どのような四辺形のシートでも必要な時に取っ手付の簡易包装体として活用でき、特に風呂敷の活用の幅が大幅に広がる効果がある。
【０００８】
また、風呂敷に特別の加工を加えなくても良く、一般家庭で既に持っている風呂敷、一般に市販されている風呂敷、あるいは布を四辺形に切ってそのまま活用できるため、前記風呂敷の活用の幅が広がる効果のほかに、服装に合わせたデザインの風呂敷や布を用いて、おしゃれなハンドバッグ、ショルダーバッグとしておしゃれをコーディネートできる効果もある。
【０００９】
現在、環境問題、重油資源逼迫問題からポリ袋の削減が政令化、義務化されようとしている中、前述の通り風呂敷を簡単に活用でき、且つおしゃれをコーディネートできることにより、人々に風呂敷を使いたいという気持ちを誘発し、結果として、義務としてではなく能動的なポリ袋削減環境を整える効果が期待される。
【００１０】
前記の通り、Ｄ型リングを有する構造とすることにより、構造がシンプルで且つ風呂敷や四辺形の布を通す面積が大きく確保できるため、より厚手の布を用いることが可能になる他、おしゃれグッズとしてのデザインのバリエーションが増える効果がある。
【発明を実施するための最良の形態】
【００１１】
把持部Ａ１１は革製又は樹脂製で、表面に無地もしくは絵柄等デザインを施したシートで芯材１５を巻き込み、合わせ縫い、または接着している。把持部Ａ１１の両端には四辺形のリングＡ１２の一辺に該革製あるいは樹脂製シートの端部を巻き込み回動可能に軸支し、折り返し部を縫着部Ａ１４で縫着又は接着している。把持部Ａ１１は、把持あるいはショルダーに適した形であれば芯材15の形状を選ぶことにより、円形、四角形、多角形等どのような形状でもよく、又、芯材１５を有しない型枠成型した構造でも良い。又、四辺形リングＡ１２の中間部には弛張棒１３がスライド可能に固定されている（図１、図２、図３、図４）。
【００１２】
リングＡ１２と弛張棒１３に風呂敷の対向する2辺を重ね合わせるように二つ折りにし、重ねた隅部を図中の風呂敷隅部通し方向Ａ１９の如くリングＡ１２と弛張棒１３の間を内側から通し弛張棒１３を介して折り返し、該リングＡ１２と弛張棒１３の下側の隙間から内側に通し弛張棒１３を引き下げることによりリングＡ１２と弛張棒１３に挟み込み、風呂敷隅部を金具に結び付けることなく固定することができる構造にしている（図５）。
【００１３】
把持部Ａ１１の両端各々に２個ずつのＤ型第一リング２１、第２リング２２を固定している。固定方法としては、把持部Ａ１１の該革製あるいは樹脂製シートの端部を第１リング２１，第２リング２２の直線状の一辺に２個一括で巻き込み回動可能に軸支し、折り返し部を縫着部Ａ１４で縫着又は接着している（図６、図７、図８、図９、図１０）。
【００１４】
第１リング２１、第２リング２２に風呂敷の対向する2辺を重ね合わせるように二つ折りにし、重ねた隅部を図中の風呂敷隅部通し方向Ｂ２３の如く第１リング２１、第２リング２２を内側から外側に向けて通し外側のリング２２を介して折り返し、第１リング２１を外側から内側に通すことにより、第１リング２１，第２リング２２間で挟み込み、風呂敷隅部を金具に結び付けることなく固定することができる構造にしている（図１１）。
【００１５】
前記の通り取っ手把持部は、把持あるいはショルダーに適した形であれば円形、四角形、多角形、バンドタイプ等どのような形状でもよく、また、材質は革製、樹脂製、布製いずれでも良い。把持部Ｂ２４は、バンドタイプの取っ手の実施形態を示している。把持部Ｂ２４の両端には各々２個ずつの第１リング２１、第２リング２２が回動可能に固定されている。第１リング２１，第２リング２２の把持部Ｂ２４への固定は、第１リング２１，第２リング２２の直線状の一辺を２個一括で把持部Ｂ２４のバンド端部で巻き込み回動可能に軸支し、折り返し部を縫着部Ｂ２５で縫着又は接着している（図１２、図１３、図１４、図１５、図１６）。
【００１６】
バンド部２６、カバー部２９は、革、ナイロン等可塑的変形可能な材料により構成されており、第２縫着部３３で縫着あるいは接着されている。また、バンド部２６の両端には、それぞれ四辺形のリングＢ２７の一辺を回動可能に軸支し、第１縫着部３２で固定している。二つ折りにした風呂敷の対向する隅部を二枚重ねのまま、該取っ手両端のリングＢ２７に弛張棒２８を巻き込む形で通し、該弛張棒２８を引き下げリングＢ２７と弛張棒２８間で挟み込み固定する。リングに設けた隙間３４は、一旦リングに通し弛張棒を巻き込む形で折り返した風呂敷隅部をそのまま該隙間３４を通してリングＢ２７の中に挿入するためのものある（図１７、図１８、図１９、図２０）。
【００１７】
取っ手全体を携帯して持運ぶ時はバンド部２６の両端部を折り曲げ、リングと一緒にカバー部２９の中に収納しフック凹３０，フック凸３１で止める（図２１、図２２）。
【００１８】
取っ手として使用する時は、バンド部２６の両端とリングＢ２７をカバー２９から取り出し、カバーはフック凹３０，リング凸３１で元の位置に留める。これによりバンド部２６とカバー部２９で形成された把持部と、両端に風呂敷を留めるリングＢ２７を有する簡易包装体の取っ手を形成する（図２３、図２４）。
【００１９】
図２５は、該取っ手に風呂敷１６を取り付けた簡易包装体の使用時全体図である。把持部Ａ１１の両端のリングＡ１２に風呂敷１６の対向する隅部を二枚重ねにしたものを一括で通し固定している。該弛張棒での風呂敷折り返し部１７と折り返し後の風呂敷隅部１８は、リボン状になり、取っ手付きハンドバッグ、ショルダーバッグの簡易包装体の装飾的役割を果たしている（図２５）。
【実施例１】
【００２０】
厚さ１．５ｍｍの革素材で作成した。取っ手把持部は径１４ｍｍΦ×長さ２６０ｍｍで、両端のリング取り付け部の幅は４０ｍｍとしている。把持部Ａ１１は、綿製芯材を巻き込み後、中央部２００ｍｍ長さに渡り、付き合わせ縫いを行った。リングは３ｍｍΦの鋼線で、横３５ｍｍ×縦２０ｍｍ、中央部にスライド可能に取り付けた弛張棒を持つ構造としている。
【実施例２】
【００２１】
厚さ１．５ｍｍの革素材で作成した。取っ手把持部は径１４ｍｍΦ×長さ２３０ｍｍで、両端のリング取り付け部の幅は４０ｍｍとしている。把持部Ａ１１は、綿製芯材を巻き込み後、中央部１６０ｍｍ長さに渡り、付き合わせ縫いを行った。リングは３ｍｍΦの鋼線で、横３５ｍｍ×縦２３ｍｍのＤ型リングを両端2個ずつ取り付けた構造としている。
【００２２】
前記寸法で作成した取っ手に、その日の服装に合わせた絵柄の風呂敷を選びセットし、日常ハンドバックに入れて持ち歩く財布、ハンカチーフ、化粧セット等を入れて、ショルダーバッグとして使用したところ、入れ物兼装飾品としての使用ができおしゃれをコーディネートできた。
【００２３】
また、取っ手と風呂敷をハンドバックに入れておき、スーパーで買い物をした後その場で組み立て使用してみたところ、約２０秒で簡単に組み立てられた外、風呂敷の持つ形状、サイズの自在性が十分発揮され、多くの買い物をまとめて包み込むことができ、ポリ袋の代替として何の支障も無く使用可能であった。また、ポリ袋の持つ無機質感も無く親しみのある使い方ができた。
【００２４】
また、Ｄ型リング付の取っ手に８０ｃｍ×８０ｃｍの厚手の布をセットしたところ、頑丈でカジュアルな服装に似合うおしゃれなバッグができ、買い物袋としても、たくさんの荷物を入れることができた。重い荷物を入れてショルダーバッグとして持ってみると、皮製の把持部が肩にやさしく楽に持ち運ぶことができた。
【図面の簡単な説明】
【００２５】
【図１】把持部が丸形で四辺形リング付き取っ手の正面図
【図２】図１の平面図
【図３】図１の底面図
【図４】図２のＡ−Ａ断面図
【図５】図１の側面図および使用説明図
【図６】把持部が丸形でＤ型リング付き取っ手の正面図
【図７】図６の平面図
【図８】図６の底面図
【図９】図７のＢ−Ｂ断面図
【図１０】図６の側面図
【図１１】図６の使用説明図
【図１２】把持部がバンド形でＤ型リング付取っ手の正面図
【図１３】図１２の平面図
【図１４】図１２の底面図
【図１５】図１３のＣ−Ｃ断面図
【図１６】図１２の側面図
【図１７】キーホルダー形取っ手の正面図
【図１８】図１７の平面図
【図１９】図１７の底面図
【図２０】図１８のＤ−Ｄ断面図
【図２１】図１７の取っ手を携帯する時の状態を示す部分断面図
【図２２】図２１の側面図
【図２３】図１７の取っ手を使用する時の状態を示す正面図
【図２４】図２３の側面図
【図２５】把持部が丸形で四辺形リング付き取っ手の使用状態全体図
【符号の説明】
【００２６】
１１  把持部Ａ
１２  リングＡ
１３  弛張棒
１４  縫着部Ａ
１５  芯材
１６  風呂敷
１７  風呂敷折り返し部
１８  風呂敷隅部
１９  風呂敷隅部通し方向Ａ
２１  第１リング
２２  第２リング
２３  風呂敷隅部通し方向Ｂ
２４  把持部Ｂ
２５  縫着部Ｂ
２６  バンド部
２７  リングＢ
２８  弛張棒
２９  カバー部
３０  フック凹
３１  フック凸
３２  第１縫着部
３３  第２縫着部
３４  隙間
【図１】
2008110196.tif 000003
【図２】
2008110196.tif 000004
【図３】
2008110196.tif 000005
【図４】
2008110196.tif 000006
【図５】
2008110196.tif 000007
【図６】
2008110196.tif 000008
【図７】
2008110196.tif 000009
【図８】
2008110196.tif 000010
【図９】
2008110196.tif 000011
【図１０】
2008110196.tif 000012
【図１１】
2008110196.tif 000013
【図１２】
2008110196.tif 000014
【図１３】
2008110196.tif 000015
【図１４】
2008110196.tif 000016
【図１５】
2008110196.tif 000017
【図１６】
2008110196.tif 000018
【図１７】
2008110196.tif 000019
【図１８】
2008110196.tif 000020
【図１９】
2008110196.tif 000021
【図２０】
2008110196.tif 000022
【図２１】
2008110196.tif 000023
【図２２】
2008110196.tif 000024
【図２３】
2008110196.tif 000025
【図２４】
2008110196.tif 000026
【図２５】
2008110196.tif 000027